(57)【特許請求の範囲】
【請求項１】
検査対象である構造物又は物品に超音波を照射してエコー信号を得る超音波トランスデューサと、
前記エコー信号を処理し前記検査対象の内部を可視化した三次元画像情報を生成する信号処理部と、
前記検査対象の内部において前記超音波が反射する前記調査対象の裏面の上部に注目領域を定義し、さらに座標変換に関する座標情報を定義する領域定義部と、
前記三次元画像情報における前記注目領域以外の画像情報を除去した検査用三次元画像を生成する検査データ生成部と、
前記検査対象及び前記超音波トランスデューサのうちいずれか一方を回転させる回転機構と、
前記注目領域からの前記エコー信号により認定される欠陥像について前記座標情報で規定される設定軸と直交する前記検査用三次元画像の任意断面のうち欠陥像面積が最大になる断面を画像化する二次元画像化部と、を備えることを特徴とする超音波検査用装置。
【請求項２】
前記検査対象、前記超音波トランスデューサ及びこれらの間に介在させるカップラントを入れた水槽を、さらに備える請求項１に記載の超音波検査用装置。
【請求項３】
前記回転機構は、−１８０度から＋１８０度の範囲の往復動作を行う請求項１又は請求項２に記載の超音波検査用装置。
【請求項４】
前記回転機構の予め決められた変位毎に前記画像化して得られた複数の二次元画像を座標変換して一つの座標に表示させる表示部を、さらに備える請求項１から請求項３のいずれか１項に記載の超音波検査用装置。
【発明の詳細な説明】
【技術分野】
【０００１】
本発明は、圧電変換部により送受信される超音波を用いて、構造物や部品内の欠陥、ボイドや接合部の剥がれ等の状態を可視化する超音波検査用装置に関する。
【背景技術】
【０００２】
超音波検査用装置を用い、検査対象である構造物や部品内の、欠陥、ボイド及び接合部の剥がれ等の状態を評価することが広く実施されている。
この検査対象に照射された超音波の反射波であるエコー波形は、検査対象の表面、欠陥、裏面の三つに由来している。そして、欠陥を検出するためにはこの欠陥に由来するエコー波形に着目し抽出する処理が必要になる。このエコー波形を抽出するために、表面由来のエコー波形の通過後を始点とし、裏面由来のエコー波形の通過前を終点とするゲートを設け、このゲートを通過するエコー波形を欠陥由来のものとして取り扱う。そして、この欠陥由来のエコー波形の強度およびタイミングを検出することにより、検査対象における欠陥の位置、大きさ等の情報を可視化している（例えば、特許文献１）。
【先行技術文献】
【特許文献】
【０００３】
【特許文献１】特開２００３−１２１４２６号公報
【発明の概要】
【発明が解決しようとする課題】
【０００４】
しかし、そのようなゲートを利用する従来の超音波検査用装置では、検査対象の表面と裏面の間隔が一定でない場合は、幅の異なる複数のゲートを設定する必要がある。しかし、検査対象の形状変化に同期させて複数のうち適切なゲートを入れ替えるのは困難が伴い、特にこの形状変化が複雑である場合は誤検出等の欠陥検出の精度低下を起こす問題があった。
【０００５】
本発明はこのような事情を考慮してなされたもので、二次元化して内部表示される検査対象において、内部欠陥やボイド、剥離の検査を高精度かつ容易に実施できる超音波検査用装置を提供することを目的とする。
【課題を解決するための手段】
【０００６】
本発明に係る超音波検査用装置は、検査対象である構造物又は物品に超音波を照射してエコー信号を得る超音波トランスデューサと、前記エコー信号を処理し前記検査対象の内部を可視化した三次元画像情報を生成する信号処理部と、前記検査対象の内部において前記超音波が反射する前記調査対象の裏面の上部に注目領域を定義し、さらに座標変換に関する座標情報を定義する領域定義部と、前記三次元画像情報における前記注目領域以外の画像情報を除去した検査用三次元画像を生成する検査データ生成部と、前記検査対象及び前記超音波トランスデューサのうちいずれか一方を回転させる回転機構と、前記注目領域からの前記エコー信号により認定される欠陥像について前記座標情報で規定される設定軸と直交する前記検査用三次元画像の任意断面のうち欠陥像面積が最大になる断面を画像化する二次元画像化部と、を備えることを特徴とするものである。
【発明の効果】
【０００７】
本発明によれば、複雑形状の検査対象の内部に存在する欠陥を、高精度でかつ容易に検査することが可能な超音波検査用装置が提供される。
【図面の簡単な説明】
【０００８】
【図１】本発明に係る超音波検査用装置の第１実施形態を示す構成図。
【図２】（Ａ）複雑形状の検査対象の斜視図、（Ｂ）その断面図、（Ｃ）エコー信号の波形を示す図。
【図３】（Ａ）超音波トランスデューサが検出したエコー信号に基づく画像情報、（Ｂ）検出範囲における注目領域、（Ｃ）検出された欠陥の抽出画像、（Ｄ）検出された欠陥における欠陥像面積が最大になる部分の断面画像、をそれぞれ示す図。
【図４】超音波検査装置における基準面の補正機能の説明図。
【図５】本発明に係る超音波検査用装置の第２実施形態を示す構成図。
【図６】本発明に係る超音波検査用装置の第２実施形態の変形例を示す構成図。
【図７】（Ａ）第２実施形態に係る超音波検査装置と検査対象との配置関係を示す縦断面図、（Ｂ）一つの静止位置で撮像された断面像、（Ｃ）検査対象を回転させて連続的に撮像された複数の断面像、をそれぞれ示す図。
【図８】（Ａ）第２実施形態に係る超音波検査装置で撮像された検査対象に含まれる欠陥の表示方式の一例、（Ｂ）その他の表示方式の例、をそれぞれ示す図。
【図９】第２実施形態において図８（Ａ）に示される矩形表示から図８（Ｂ）に示される円形表示への変換を実行する演算式。
【発明を実施するための形態】
【０００９】
（第１の実施の形態）
以下、本発明の実施形態を添付図面に基づいて説明する。
図１に示すように超音波検査用装置は、カップラント２７及びシュー２５を介して検査対象３に当接させる超音波トランスデューサ２と、この超音波トランスデューサ２にケーブルで接続される装置本体１とから構成されている。
装置本体１は、信号発生部１０と、駆動素子選択部１１と、信号検出部１２と、増幅部１３と、Ａ／Ｄ変換部１４と、信号処理部１５と、領域定義部１６と、注目領域データ記憶部１７と、二次元化情報記憶部１８と、判定閾値データ記憶部１９と、検査データ生成部２０と、二次元画像化部２１と、欠陥判別部２２と、表示装置２３と、制御部２４と、基準面検出部２８と、修正情報記憶部３０と、修正処理部３１とから構成されている。
【００１０】
超音波トランスデューサ２は、圧電素子からなる複数の圧電変換部２６をマトリックス状または、直線状に配置したものであり、それぞれの圧電変換部２６は、駆動素子選択部１１の選択により駆動されるものが決定されて信号発生部１０からの駆動信号が導かれる。この電気的な駆動信号を入力すると圧電変換２６は、圧電体の性質として超音波を発生し、この超音波は、シュー２５を介して検査対象３内の欠陥４に達する。そして、欠陥４から反射する超音波エコーＵは再びシュー２５を介して圧電変換部２６に入力し、それぞれに発生する電気信号は信号検出部１２に導かれる。
このように超音波トランスデューサ２は、検査対象３に向けて超音波を出力し、内部欠陥４、さらに表面３ａ、裏面３ｂから反射される超音波エコーを受信する。
【００１１】
信号発生部１０は、圧電変換部２６に超音波を発生させるパルス状または連続の駆動信号を発生し、駆動素子選択部１１に導く。この駆動素子選択部１１は、駆動すべき一つまたは複数の圧電変換部２６を選択した上で、信号発生部１０から導かれた駆動信号を導くものである。
信号検出部１２は、圧電変換部２６で発生するアナログの微弱な電気信号を検出するもので、このアナログ信号のうち検査に適用されるものが増幅部１３に導かれる。
【００１２】
増幅部１３は、導かれたアナログ信号を増幅し、これをＡ／Ｄ変換部１４に供給する。このＡ／Ｄ変換部１４は、導かれたアナログ信号をデジタル信号にＡ／Ｄ変換し、信号処理部１５に導く。
この信号処理部１５は内部に並列プロセッサを備えており、Ａ／Ｄ変換部１４から導かれたデジタル信号を処理し開口合成処理により検査対象３の内部の状態を可視化する三次元画像情報Ｑを生成する。
【００１３】
検査に際し、領域定義部１６により、検査対象３の内部の注目領域Ｒの定義情報、検査対象３の内部を二次元表示するための座標情報Ｔ、欠陥を判定する閾値を定義する閾値情報Ｇが生成され、それぞれを、注目領域データ記憶部１７、二次元化情報記憶部１８、判定閾値データ記憶部１９に保存する。
【００１４】
検査データ生成部２０は、信号処理部１５が生成した三次元画像情報Ｑに対して注目領域データ記憶部１７に保存された注目領域Ｒの定義情報を適用し、注目領域Ｒ以外の画像情報を除去した検査用三次元画像Ｓを生成する。
二次元画像化部２１は、二次元化情報記憶部１８に保存された座標情報Ｔを用い、設定軸と直交する検査用三次元画像Ｓの任意断面を検査用二次元画像Ｆとして変換する。
【００１５】
修正処理部３１は、入力した検査用二次元画像Ｆを画像修正して修正二次元画像Ｋを出力するものである。
【００１６】
欠陥判別部２２は、入力した検査用二次元画像Ｆに対して判定閾値データ記憶部１９に保存された閾値情報Ｇを適用して、閾値以上、あるいは閾値以下の領域の有無、面積等を判定、計算し、表示装置２３に表示出力する。
以上の動作は制御部２４によって統括的に制御され、超音波トランスデューサ２の駆動から超音波の発信、受信、画像情報生成、注目領域抽出、判定、表示等の一連動作が実行される。
【００１７】
図２を参照して、本実施形態に係る超音波検査用装置を用いて複雑形状を有する検査対象３の検査例を示す。
検査対象３は、図２（Ａ）に示されるように、裏面３ｂが波打った裏面形状を持つ複雑形状であり、平坦な表面３ａに超音波トランスデューサ２を接触させてＸ方向に動かして検査を行う。図示していないが、適切なシュー、カップラントが用いられているものとする。
【００１８】
図２（Ｂ）の検査対象３の断面図に示されるように、注目領域Ｒは同図の波打った裏面の上部に設定されているとする。そして、超音波トランスデューサ２は、検査対象３の注目領域Ｒに対し表面３ａから裏面３ｂの方向に向けて超音波を照射する。すると、表面３ａ、裏面３ｂ及び注目領域Ｒの内部に存在する欠陥４から超音波エコーが反射される。
【００１９】
図２（Ｃ）は、超音波トランスデューサ２で受信した超音波エコーを電気信号に変換したエコー信号であり、図の左から右に向かって時間が経過するように表示されている。右側の波形は表面３ａに対応した表面エコー波形５であり、左側の波形は裏面３ｂに対応した裏面エコー波形６であり、欠陥４が存在する場合には、表面エコー波形５、裏面エコー波形６の間に欠陥エコー波形７が表示される。
【００２０】
図３に基づき超音波検査装置により検出された欠陥を可視化するプロセスを説明する。
図３（Ａ）は信号処理部１５で生成される三次元画像情報Ｑの側面図である。図面において平面表示されているが、実際には図の奥行き方向にも画像情報が生成されている。超音波トランスデューサ２としてリニアアレイプローブ、マトリクスアレイプローブの両方が使用可能であるが、リニアアレイプローブの場合には１回の画像化で超音波トランスデューサ２の直下の断面像（プローブの開口方向をＹ軸とし、検査対象の深さ方向をＺ軸とするとＹ−Ｚ面の二次元画像）が生成される。超音波トランスデューサ２をＸ方向に移動（スキャン）させることにより、複数の断面像を順次生成し、これらを結合させることにより図３（Ａ）に示す三次元画像情報Ｑを生成する。マトリクスアレイプローブを用いた場合には、１回でＸＹＺの三次元構造の単位画像が生成され、この単位画像を結合することにより、同様の三次元画像情報Ｑを生成する。
【００２１】
図３（Ａ）の画像には検査対象３（図２）の表面エコー像Ｅａ、裏面エコー像Ｅｂが含まれている。図３（Ｂ）に示される注目領域Ｒの部分のみを抽出するために、領域定義部１６（図１）で作成され注目領域データ記憶部１７に保存されている定義情報を用いる。
【００２２】
そして、検査データ生成部２０において、信号処理部１５が生成した三次元画像情報Ｑに対し、注目領域データ記憶部１７に保存されている注目領域Ｒの定義情報による処理をすることにより、指定された注目領域Ｒのデータのみが抽出され、図３（Ｃ）に示すような表面エコー像Ｅａ、裏面エコー像Ｅｂが除去された検査用三次元画像Ｓに変換される。
【００２３】
ここで、注目領域Ｒの定義情報は、この注目領域Ｒの構成画素を"１"これ以外の部分を"０"とするメッシュデータとし、このメッシュデータを信号処理部１５が生成した三次元画像情報Ｑにメッシュ単位に掛け合わせることで、注目領域Ｒに該当するデータのみの抽出が実行される。なお、この例では注目領域Ｒとして矩形のものを示しているが、矩形に限らず任意の形の注目領域Ｒを設定できる。
【００２４】
領域定義部１６で定義された座標変換に関する座標情報Ｔが、二次元化情報記憶部１８に保存されている。この座標情報Ｔは、図３（Ｃ）に例示されるｘｙｚの３軸からなる座標系であって、検査対象３を基準に定めたＸＹＺ座標系とは別個のものである。図３では、注目領域Ｒは波打った裏面３ｂの上部となっているために、従来ではＸＹＺ座標系における超音波の進行方向（Ｚ軸）との直交面（ＸＹ平面）へ欠陥像が投影される形で二次元画像化が行われる。このため、従来では、検査対象３を基準に設定されるＸＹＺ座標系に対し、傾いた主面を有する欠陥４を撮像すると、形が歪んだ欠陥４の二次元像が生成されることになる。
【００２５】
そこで本実施形態では、二次元画像化部２１において、設定軸（ここではｚ軸）と直交する欠陥４の任意断面のうち欠陥像面積が最大になる面を画像化するようになっている。つまり、欠陥４の主面にｚ軸が直交するようにｘｙｚ座標系を定義し、ｘ−ｙ平面座標に沿う面において二次元画像化を行う。これにより、図３（Ｄ）に示すような欠陥４の主面に平行な、歪みのない二次元化された検査用二次元画像Ｆが生成される。
【００２６】
この検査用二次元画像Ｆ（又は修正二次元画像Ｋ）に対して、領域定義部１６で定義され判定閾値データ記憶部１９に保存された閾値情報Ｇを適用し、欠陥判別部２２で演算を実行する。これにより、欠陥４が画像化された表示用二次元画像Ｈが生成され、表示装置２３によって表示される。この表示用二次元画像Ｈは、検査用二次元画像Ｆを構成する画素の画素値を判定閾値データ記憶部１９に保存された閾値情報Ｇと比較することにより行われる。下限閾値以上、あるいは上限閾値以下にて欠陥４に由来する像であると判定されるが、この方法に限定されるわけではない。
【００２７】
一方において、欠陥判別部２２は、後記する基準面検出部２８による基準面補正情報Ｐに基づいて閾値情報Ｇを変化させて適用する場合がある。これは、検査対象３の表面３ａ及び裏面３ｂと超音波トランスデューサ２との相対距離が変化することによって、欠陥４に由来する超音波エコーの強度が変化することによる。
【００２８】
さらに、欠陥判別部２２は、検査用二次元画像Ｆの強度を判定して、閾値情報Ｇを変化させて適用することができる。これは、生成された検査用二次元画像Ｆは、検査条件に依存して、全体として明るかったり暗かったりして、必ずしも常に同じ強度を持つものではない。このために、同じ閾値情報Ｇを適用すると、検査条件が異なることによっては欠陥なし、欠陥あり等の判定が分かれる場合が想定される。このような事態に対処するために、例えば生成された検査用二次元画像Ｆの全体の平均的な画像強度を求め、この平均値が基準値より高ければ、判定に適用する閾値を高く補正し、基準値より低ければ、適用する閾値を低く補正するようにする。これにより、検査条件を変更して撮像された、明るさ強度が相違する複数の二次元検査用画像に対しても、適切な欠陥判定が可能となる。
【００２９】
図１に示される基準面検出部２８は、信号処理部１５が生成する三次元画像情報Ｑから、注目領域データ記憶部１７で保存されている注目領域Ｒの定義情報が適用される基準面を補正する補正情報Ｐを出力するものである。この基準面補正情報Ｐは、この基準面検出部２８から検査データ生成部２０に転送されて、前記した基準面の補正が実行される。
【００３０】
図４を参照して基準面検出部２８の動作を説明する。
超音波検査の際、超音波トランスデューサ２と検査対象３の間の距離が変化することがある。このようなことが起こると、検査対象３に正しく注目領域Ｒを設定することが困難となるが、基準面検出部２８はこのような問題に対処するためのものである。
【００３１】
超音波トランスデューサ２と検査対象３の間の距離が変化した場合、図４（Ａ）から図４（Ｂ）に示すように、三次元画像情報Ｑ中の表面エコーＥａの位置が基準面に対し変化することになる。基準面検出部２８は三次元画像情報Ｑ中の現在の表面位置Ｂを検出し、注目領域データ記憶部１７に保存されている注目領域Ｒの定義情報の表面位置Ａを基準面とみなして減算し、基準面補正情報Ｐを算出する。この基準面補正情報Ｐは、検査データ生成部２０に出力されて、図４（Ｃ）に示すように、注目領域Ｒの定義情報を適用する位置を補正する。これにより、超音波トランスデューサ２と検査対象３の間の距離が変化しても正しい検査用三次元画像Ｓの抽出が可能となる。
【００３２】
一方において、基準面検出部２８で生成した基準面補正情報Ｐを、欠陥判別部２２に適用し、検査対象３の表面３ａ又は裏面３ｂが位置変化しても、閾値情報Ｇを適切に変化させて適用することができる。これにより、超音波トランスデューサ２と検査対象３の間の距離が変化して、検査対象３の内部で超音波の伝搬条件が変化しても、閾値情報Ｔを補正して検査用二次元画像Ｆに対し欠陥４に関する正しい判定が可能になる。
【００３３】
図１に示される修正情報記憶部３０は、領域定義部１６が検査用２次元画像Ｆを画像修正するための修正情報Ｊを保存する機能を有する。そして、修正処理部３１は、この修正情報Ｊを用いて、二次元画像化部２１が生成した検査用二次元画像Ｆの各メッシュ毎に乗算、あるいは加算、または二つの予め定義した二次元テーブルの一つを乗算、もう一つを加算することにより、修正二次元検査画像Ｋを生成し、欠陥判別部２２に送る機能を有している。
【００３４】
一般に、検査対象３の内部状態や超音波の伝搬経路等の影響により、二次元画像化部２１が生成する検査用二次元画像Ｆは必ずしも一様にならないことがある。このような検査用二次元画像Ｆに対し、欠陥判別部２２において閾値情報Ｆを適用して欠陥判定を行うと、欠陥検出の正確性を欠く場合がある。
【００３５】
そこで、このような事象に対処するために、予め検査対象３の内部状態、超音波の伝搬経路等を考慮して作成した修正情報Ｊを修正情報記憶部３０に保存しておき、この修正情報Ｊを修正処理部３１において、検査用二次元画像Ｆに対し適用することにより、一様な修正二次元検査画像Ｋを生成できるようにしたものである。
【００３６】
（第２の実施の形態）
図５は、本発明の第２の実施形態に係る超音波検査用装置の説明図である。第２の実施形態では円柱ないし円筒状の検査対象３を載置した状態で回転する回転機構（ターンテーブル３３ａ）を具備している。そして、検査対象３の上面あるいは側面に超音波トランスデューサ２を固定して水等のカップラントを介して音響結合できるようにし、回転する検査対象３の内部を検査するようにしている。図示していないが、超音波トランスデューサ２と検査対象３の間には水等のカップラントが介在するよう、全体を水槽に入れる等して構成される。
【００３７】
図６は、第２の実施形態に係る超音波検査用装置の変形例の説明図である。この変形例では、円柱ないし円筒状の検査対象３の上面あるいは側面に配置される超音波トランスデューサ２を、この検査対象３の周りに沿って回転する機構（ターンテーブル３３ｂ）に、固定させた構成となっている。
このターンテーブル３３ｂは、回転駆動機構３２によって駆動され、その下面に超音波トランスデューサ２が取り付けられている。
【００３８】
また図示していないが、超音波トランスデューサ２と検査対象３は、間に水等のカップラントが介在するよう、全体を水槽に入れる等して音響結合構成されている。また、この例では超音波トランスデューサ２と装置本体１を直接ケーブルで繋いでいるので、ターンテーブル３３ｂは連続的に回転するのではなく、−１８０度から＋１８０度の範囲の往復動作を行うことを想定している。もしくは、超音波トランスデューサ２に接続されるケーブルの中間にスリップリング等の回転信号伝達機構を設けることで、ターンテーブル３３ｂを連続的に回転させることも可能である。
【００３９】
図７は、第２の実施形態に係る超音波検査用装置における画像化方法の説明図である。
第２の実施形態において、超音波トランスデューサ２は検査対象３の上面に平行に配置しても良いし、ある傾きを持って配置しても良い。図７（Ａ）は傾きがある例であり、超音波は、その入射経路３４に示すように検査対象３の上面で屈折して検査対象３の内部に入射する。尚、超音波トランスデューサ２と検査対象３の間には水が介在しているものとする。超音波トランスデューサ２により検査対象３内部の画像化される領域は、破線で示した画像化領域３５であり、検査対象３のＺ軸周りの回転に伴って、予め決められた角度の変位毎に、図７（Ｂ）に示されるようなＹ−Ｚ平面の画像化がなされる。検査対象３の全体を検査する場合は、Ｚ軸周りに１回転させて生成した画像を評価することになり、得られる検査画像は、図７（Ｃ）に示されるようにＹ−Ｚ平面の矩形断面の束となる。
【００４０】
この例では検査対象３内部の検査対象の上面と平行な領域の欠陥４を検査することを想定しており、得られた三次元画像情報Ｑを検査用二次元画像Ｆに変換する座標情報Ｔは図７に示されるＸＹＺ座標系となる。そして、図７（Ａ）による三次元画像情報Ｑに対しこのＸＹＺ座標系を適用し、Ｚ軸に直交する欠陥４の断面面積が最大値を示すＸ−Ｙ二次元画像が検査用二次元画像Ｆとして採用されることになる。
【００４１】
よって、第２の実施形態において二次元化情報記憶部１８（図１）に保存される座標情報Ｔは、検査データ生成部２０で生成された図７（Ｃ）に示されるＹ−Ｚ平面の矩形断面の束から構成される検査用三次元画像Ｓから、図８（Ａ）のようにＹ−Ｘ矩形表示される検査用二次元画像Ｆに変換するとともに、図８（Ｂ）のようにＸc−Ｙc円形表示される検査用二次元画像Ｆに変換する機能を備える。そして、二次元画像化部２１においては、このような座標情報Ｔの機能のうちいずれかが選択されて、検査用三次元画像Ｓから検査用二次元画像Ｆに座標の変換処理がなされる。
【００４２】
図９は、第２の実施形態において図８（Ａ）に示される矩形表示から図８（Ｂ）に示される円形表示への変換を実行する演算式の一例である。
ここで、図８（Ｂ）に示される円形表示変換後のＡ座標（xcＡ、ycＡ）と、これに対応する図８（Ａ）に示される変換前の矩形表示のＡ座標（xＡ、yＡ）とは図９に示される演算式により関係付けられている。但し、円形表示変換後の画像の１２時の方向が変換の基点であり、これを基点に矩形画像を時計方向に円形表示変換するものとする。また矩形画像の長さxeは、１回転分に相当するものとする。
【００４３】
図９の演算式中のyofsは円形表示変換の一つのパラメータであり、円形表示した際の元の矩形画像の径方向表示位置を決める。Ｘc−Ｙc座標系の各点毎にＹ−Ｘ座標系上の座標を求め、その点の検査用二次元画像を取り出し、Ｘｃ−Ｙｃ座標系に貼り付ける処理を、Ｘｃ−Ｙｃ座標系の必要な範囲全体に対して行うことで、矩形画像を円形に変換して表示することが可能となる。なお必要に応じて右辺第１項に係数を乗じてｙＡを求めることで、スケールの変換等を行うことも可能である。領域定義部１６に、yofs、円形変換の方向（時計方向、反時計方向）、あるいは右辺第１項に乗ずる係数等を定義させる機能を持たせ、これを二次元化情報記憶部１８に保存し、二次元画像化部２１で上記例のような矩形画像の円形表示変換を行わせてもよい。
【００４４】
以上説明した通り、本発明の超音波検査用装置により、複雑な検査対象内部の注目領域を詳細に指定し、高精度の二次元画像により欠陥判定させることが可能となり、複雑な検査対象の内部欠陥やボイド、剥離を正確に抽出して検査することが可能となる。
本発明は前記した実施形態に限定されるものでなく、共通する技術思想の範囲内において、適宜変形して実施することができる。
【符号の説明】
【００４５】
１…装置本体、２…超音波トランスデューサ、３…検査対象、３ａ…表面、３ｂ…裏面、４…欠陥、５…表面エコー波形、６…裏面エコー波形、７…欠陥エコー波形、１０…信号発生部、１１…駆動素子選択部、１２…信号検出部、１３…増幅部、１４…Ａ／Ｄ変換部、１５…信号処理部、１６…領域定義部、１７…注目領域データ記憶部、１８…二次元化情報記憶部、１９…判定閾値データ記憶部、２０…検査データ生成部、２１…二次元画像化部、２２…欠陥判別部、２３…表示装置、２４…制御部、２５…シュー、２６…圧電変換部、２７…カップラント、２８…基準面検出部、３０…修正情報記憶部、３１…修正処理部、３２…回転駆動機構、３３ａ，３３ｂ…ターンテーブル、３４…入射経路、３５…画像化領域、Ｅａ…表面エコー像、Ｅｂ…裏面エコー像、Ｅｃ…欠陥エコー像、Ｐ…基準面補正情報、Ｑ…三次元画像情報、Ｒ…注目領域、Ｓ…検査用三次元画像、Ｔ…座標情報、Ｇ…閾値情報、Ｈ…表示用二次元画像、Ｊ…修正情報、Ｋ…修正二次元検査画像。 
【図１】
0005908549.tif 000002
【図２】
0005908549.tif 000003
【図３】
0005908549.tif 000004
【図４】
0005908549.tif 000005
【図５】
0005908549.tif 000006
【図６】
0005908549.tif 000007
【図７】
0005908549.tif 000008
【図８】
0005908549.tif 000009
【図９】
0005908549.tif 000010